Podtech/llm-jp-corpus-v4-ja_patent huggingface dataset:
(57)【要約】      （修正有）【課題】津波により流失するおそれを解消した重要物を収納した重要物保管庫を提供する。【解決手段】保管庫本体１と該保管庫本体１に対し開閉可能な蓋体３とを備え、該保管庫本体１を建物の床下における基礎５に固着し、前記蓋体３は、ボルト２１とナット２３とにより前記保管庫本体に固定する。床板７は重要物保管庫に対応する部分に開口部７ａを備え、該開口部７ａに開閉蓋１５を取り付ける。該開閉蓋１５を開くと共に蓋体３を開くことにより、建物内から重要物保管庫に重要物の出し入れを行うことができる。【選択図】図１
0003177279.tif 000002
【実用新案登録請求の範囲】
【請求項１】
保管庫本体と該保管庫本体に対し開閉可能な蓋体とを備え、該保管庫本体を建物の床下における基礎に固着したことを特徴とする重要物保管庫。
【請求項２】
前記蓋体は、ボルトとナットとにより前記保管庫本体に固定することを特徴とする請求項１に記載の重要物保管庫。
【考案の詳細な説明】
【技術分野】
【０００１】
本考案は、重要物保管庫に関するものであり、特に津波が襲来した際にも流失するおそれのない重要物保管庫に係るものである。
【背景技術】
【０００２】
津波が襲来した際には、特に木造等の建物は流失するおそれが大きいのであるが、建物本体内に厳重に保管されている重い金庫さえも流失するおそれがある。
【０００３】
しかるに、津波が襲来した際にも流失するおそれのない重要物保管庫は、本出願人ないし本考案者が知る限りにおいて、存在しない。
【考案の概要】
【考案が解決しようとする課題】
【０００４】
不動産の権利書、一定の契約書、遺言、預金通帳、保険証券等の書類の原本若しくは写し、又は印鑑登録カード、実印、親族の遺品等の重要なもの（本出願においてはこれらのものを単に「重要物」という。）は、銀行等の貸金庫に保管しておけば安全である。
【０００５】
しかしながら、銀行等の貸金庫は使用料が嵩むだけでなく、貸金庫のある銀行等の所在地によっては貸金庫に対する重要物の出し入れが面倒ないし不便であり、更には貸金庫に対する重要物の出し入れが不可能な時間もある。
【０００６】
したがって、重要物は、銀行等の貸金庫ではなく建物内の金庫その他の保管庫内に収納される場合が多い。
【０００７】
しかしながら、前述の如く、建物内の金庫その他の保管庫は、津波により流失するおそれがある。重要物を収納した保管庫が流失したときには、深刻な問題が生ずるおそれがある。
【０００８】
以上の如き状況に鑑み、本考案は、重要物を収納した重要物保管庫が津波により流失するおそれを解消しようとしてなされたものである。
【課題を解決するための手段】
【０００９】
上記課題を解決するために、本考案は、下記の重要物保管庫を提供するものである。
【００１０】
（１）保管庫本体と該保管庫本体に対し開閉可能な蓋体とを備え、該保管庫本体を建物の床下における基礎に固着したことを特徴とする重要物保管庫（請求項１）。
【００１１】
（２）前記蓋体は、ボルトとナットとにより前記保管庫本体に固定する（請求項２）。
【考案の効果】
【００１２】
［請求項１の考案］
保管庫本体を建物の基礎に固着したため、津波により建物本体が流失し又は破壊されたときでも、重要物保管庫が流失するおそれはない。
【００１３】
保管庫本体を建物の床下における基礎に固着したため、重要物保管庫は建物の外部からは見えず、建物の床を開けることにより該重要物保管庫に対し重要物の出し入れを行うことができる。
【００１４】
［請求項２の考案］
蓋体はボルトとナットとにより前記保管庫本体に固定されているため、該蓋体が地震等の衝撃により開くおそれはない。因みに、蓋体が地震等の衝撃により開いたときには、津波の襲来時に内部に保管されていた重要物が流失する。
【図面の簡単な説明】
【００１５】
【図１】図１は、本考案による重要物保管庫の一例を示す断面図である。
【図２】図２は、同上重要物保管庫の平面図である。
【図３】図３は、同上重要物保管庫の側面図である。
【考案を実施するための形態】
【００１６】
本考案による重要物保管庫は、保管庫本体１と該保管庫本体１に対し開閉可能な蓋体３とを備えている。
【００１７】
保管庫本体１は、上端を開口した浅い箱状体であり、一例としてステンレス鋼により形成する。
【００１８】
蓋体３は、該保管庫本体１に対し開閉可能に取り付けられており、一例としてステンレス鋼により形成する。重要物保管庫の水密性を確保するために、保管庫本体１と蓋体３との接触面には、例えばシリコン等のＯリング４が配設されている。
【００１９】
保管庫本体１は、建物の床下におけるコンクリートの基礎５上に、一例として接着剤により、固着される。符号７に示すものは建物の床板、符号９は根太、符号１１は土台、符号１３は柱である。
【００２０】
図１に示す事例においては、床板７は重要物保管庫に対応する部分に開口部７ａを備え、該開口部７ａに開閉蓋１５を取り付けている。該開閉蓋１５を開くと共に蓋体３を開くことにより、建物内から重要物保管庫に重要物の出し入れを行うことができる。
【００２１】
図１に示す事例においては、重要物保管庫は、内部に内箱１７を備えている。内箱１７は、内箱本体１７ａと開閉蓋１７ｂとよりなる。この事例においては、重要物は内箱１７内に収納される。内箱１７は、好ましくは、火災の熱から重要物を保護することができるように、耐熱性に優れた合成樹脂により形成される。
【００２２】
重要物保管庫の蓋体３は、好ましくはボルト２１とナット２３とにより保管庫本体１に固定する。すなわち、一例として、スタッドボルト２１の一端を保管庫本体１の縁部１ａに植え込み、該スタッドボルト２１の他端を蓋体３の縁部３ａを貫通させ、該他端にナット２３を螺合させる。
【００２３】
なお、保管庫本体１又は蓋体３における適宜の位置に、重要物保管庫の所有者ないし使用者の住所、氏名等を表示してもよい。
【符号の説明】
【００２４】
１  保管庫本体
１ａ  縁部
３  蓋体
３ａ  縁部
４  Ｏリング
５  基礎
７  床板
７ａ  開口部
９  根太
１１  土台
１３  柱
１５  開閉蓋
１７  内箱
１７ａ  内箱本体
１７ｂ  開閉蓋
２１  ボルト
２３  ナット
【図１】
0003177279.tif 000003
【図２】
0003177279.tif 000004
【図３】
0003177279.tif 000005
(57)【要約】      （修正有）【課題】簡単にオカリナの内部を清掃できる便利なオカリナ用掃除セットを提供する。【解決手段】適宜の径を有するモール材からなる清掃部材１を、１本あるいは、２つ折りにした２本のモール材からなる清掃部材を握持柄本体２に装着してなり、これらを、大・中・小の長さの異なる３本を一組として、袋あるいは容器等の包装体に収納する。【選択図】図１
0003177213.tif 000002
【実用新案登録請求の範囲】
【請求項１】
適宜の径（α）を有するモール材からなる清掃部材（１）であって、該清掃部材（１）を、１本あるいは、２つ折りにした２本の清掃部材（１′）を握持柄本体（２）に装着してなり、これらを、大・中・小の長さの異なる複数本を一組として、袋あるいは容器等の包装体（３）に収納したことを特徴とするオカリナ用掃除セット。
【考案の詳細な説明】
【技術分野】
【０００１】
この考案は、オカリナ用掃除セットに関するものであり、特に、オカリナの内部を掃除するものである。
【背景技術】
【０００２】
従来、オカリナは、気鳴楽器の一つであり、管楽器とは発音原理を異にする特徴的な楽器であり、イタリアや日本では涙滴状の形のものが最も一般的であり、素朴でまろやかな音色の楽器であり、心なごむものである。
【０００３】
そして、このオカリナには、６〜１３個程度の指穴が形成され、この指穴を塞ぐことにより音程を調節するものであり、その穴に演奏者が口唇を付けて息を吹き込んで演奏するものである。
【０００４】
そのため、演奏中には、オカリナ本体の内部に、息と共に唾液等が入り込み、そのまま放置しておくと不潔になるものであった。
【０００５】
このような管楽器用の掃除具は存在した。例えば、特許文献１のように。
【先行技術文献】
【特許文献】
【０００６】
【特許文献１】特開平２００３−３４５３４７号公報
【０００７】
しかし、この技術は、サクソホン等の管楽器に使用するものであり、袋状のスワブの内部に、曲折可能なワイヤーを一時固定し、これらを曲折した楽器の管内に挿入し、管内の水分を拭き取り、再び、外部に取り出すものであり、オカリナの指穴やエッジから挿入できるようなものではなかった。
【考案の開示】
【考案が解決しようとする課題】
【０００８】
そこで、上記課題を解決する為に、この考案は、オカリナ専用であって、簡単に、該オカリナの内部を清掃できる便利なオカリナ用掃除セットを開発・提供する事にある。
【課題を解決するための手段】
【０００９】
課題を解決するための手段として、本考案は、適宜の径（α）を有するモール材からなる清掃部材（１）であって、該清掃部材（１）を、１本あるいは、２つ折りにした２本の清掃部材（１′）を握持柄本体（２）に装着してなり、これらを、大・中・小の長さの異なる複数本を一組として、袋あるいは容器等の包装体（３）に収納したことを特徴とするオカリナ用掃除セットである。
【考案の効果】
【００１０】
この考案によると、大・中・小の複数本の掃除具を一組としており、穴の深さに応じてそれに適合した長さの掃除具を使用すればよく、また、２つ折りにした２本のモール（１′）を、そのまま、穴にいれて掃除したり、該２本のモールを拡げて穴に差し込めば穴の周囲に適合するため、簡単に掃除できる等の極めて有益なる効果を奏するものである。
【図面の簡単な説明】
【００１１】
【図１】この考案の一実施例を示す正面図である。
【図２】この考案の他の実施例を示す正面図である。
【図３】この考案の収納状態の一実施例を示す正面図である。
【図４】この考案の使用例を示す説明図である。
【考案を実施するための最良の形態】
【００１２】
以下、この考案について詳細に説明する。尚、この考案においては、以下の記述に限定されるものではなく、この考案の要旨を逸脱しない範囲においては適宜変更可能である。
【実施例１】
【００１３】
そこで、この考案の一実施例を図１〜図２に基づいて詳述すると、適宜の径（α）を有するモール材からなる清掃部材（１）であって、該モール材（１）を、１本あるいは、２つ折りにした２本のモール材からなる清掃部材（１′）を握持柄本体（２）に装着してなり、これらを、大・中・小の長さの異なる３本を一組として、袋あるいは容器等の包装体（３）に収納したことを特徴とするオカリナ用掃除セットから構成されるものである。
【００１４】
尚、本願では、図面においてはモール材からなる清掃部材（１）（１′）は、３本の例を示したが、これらの本数に限定されることはない。
【００１５】
また、清掃部材（１）を構成するモール材とは、ラッピング等をする際の飾りひもや、手芸用の人形等を作る際に使用されたりして市販されているものであり、軟質の針金にレーヨン糸を巻き付けて固定し、棒状に形成したものである。
【００１６】
さらに、大・中・小のそれぞれ清掃部材（１）（１′）の長さ寸法は、大サイズが、７ｃｍ、中サイズが５．５ｃｍ、小サイズが４．５ｃｍ程度である。
【００１７】
また、ＳＣ（ソプラノＣ管）、ＳＦ（ソプラノＦ管）には、短い清掃部材（１）を使用して掃除し、ＡＣ（アルトＣ管）には、中間の清掃部材、そして、ＡＦ（アルトＦ管）、ＡＧ（アルトＧ管）、そしてＢｓｓ（ベース管）には長い清掃部材を使用する。
【００１８】
又、この考案の使用方法を説明すると、例えば、オカリナ本体（Ｘ）の各指穴（Ｙ）や、エッジ（Ｚ）に、モール材からなる清掃部材（１）（１′）部分に、必ず、水を染み込ませて、ゆっくりと２〜３回、掃除する穴に挿入して出し入れする。
【産業上の利用可能性】
【００１９】
この考案のオカリナ用掃除セットの技術を確立し、製造・販売することにより産業上の利用可能性を有する。
【符号の説明】
【００２０】
１  清掃部材
１′清掃部材
２  握持柄本体
３  包装体
Ｘ  オカリナ本体
Ｙ  指穴
Ｚ  エッジ
α  径
【図１】
0003177213.tif 000003
【図２】
0003177213.tif 000004
【図３】
0003177213.tif 000005
【図４】
0003177213.tif 000006
(57)【要約】【課題】本考案は市販の引き出し取っ手をツボもみ具に使用しせんたんを親指のように丸みをつけるのにカンナとかペーパーやすり紙でおこなう手間とコストを削減させ、ヒノキ台座も平らにし手間をはぶいたニュー足のうらツボマッサージ器を提供するものである。【解決手段】ほぐしタケ３の上部にドリルで穴をあけその穴に、市販の取っ手のツボもみ具１をビス４とナット５で締めつけ固定させて、ヒノキ台座２にほぐしタケ３をボンドで貼り付け固定させる。【選択図】    図３
0003177383.tif 000002
【実用新案登録請求の範囲】
【請求項１】
平らなヒノキ台座にほぐしタケをボンドで貼り付け固定させて、ほぐしタケの上部にドリルで穴をあけ市販の取っ手をツボもみ具にし、ビスとナットで締めつけ固定させるよう設けた、ニュー足のうらツボマッサージ器。
【考案の詳細な説明】
【技術分野】
【０００１】
本考案は、足のうらのツボを椅子に座ってもみほぐし刺激するマッサージ器に関するものである。
【背景技術】
【０００２】
足のうらのツボをもみほぐすための先端を丸めた丸棒のマッサージ器がありました。
【先行技術文献】
【特許文献】
【０００３】
【特許文献１】実用新案登録第３１２５７６１号
【考案の概要】
【考案が解決しようとする課題】
【０００４】
解決しようとする問題点は、足のうらのツボをマッサージする丸棒の先端に丸みをつけるのに手間がかかり、丸棒を固定するためにヒノキの台座とほぐしタケにドリルで穴をあけるのにも手間がかかり、ほぐしタケにドリルで穴をあけるとヒビが入ってしまいました。
【課題を解決するための手段】
【０００５】
そこで、市販の物入れの取っ手を使用する事により、ほぐしタケに小さなビス穴をあけて小さなナットで締めつけ固定させて、そのビスに市販の取っ手のツボもみ具を締めつけ固定することにより手間とほぐしタケのヒビわれを無くす。
【考案の効果】
【０００６】
本考案のニュー足のうらツボマッサージ器は、ヒノキの台座を斜めに加工したりすることなく、ドリルで大きな穴をあけたりすることなく、ほぐしタケにヒビが入るのを無くす利点がある。
【図面の簡単な説明】
【０００７】
【図１】本考案のニュー足のうらツボマッサージ器の上面図
【図２】本考案のニュー足のうらツボマッサージ器の正面図
【図３】本考案のニュー足のうらツボマッサージ器の側面図
【考案を実施するための形態】
【０００８】
ヒノキ台座とほぐしタケはボンドで貼り付け固定するので、よく乾燥させて使用するのが望ましい。
【実施例】
【０００９】
図１は本考案の上面図であり、図２は正面図で、図３の側面図からわかるように市販の物入れの取っ手であるツボもみ具１をほぐしタケ３にビス４とナット５で取付け固定する方法がわかる。また、ファッション性を高めるためにほぐしタケ３の両側を斜めに切ったタケななめ仕口６を設ける。また、畳・板床でヒノキ台座２を安定させるために、のり付きテープの付いたスポンジのすべり止め７を張り付ける。
【００１０】
市販のツボもみ具１の取っ手の球体などに取り換えることが出来るように、ほぐしタケ３の表に出ているビス４にナット５を締めつけ固定させる。
【産業上の利用可能性】
【００１１】
市販の安価なツボもみ具を使用することにより、手間とコストが削減でき、また、マッサージ効果も向上する。
【符号の説明】
【００１２】
１    ツボもみ具
２    ヒノキ台座
３    ほぐしタケ
４    ビス
５    ナット
６    タケななめ仕口
７    すべり止め
【図１】
0003177383.tif 000003
【図２】
0003177383.tif 000004
【図３】
0003177383.tif 000005
(57)【要約】【課題】縮れ毛や切れ毛等の発生を防止し、毛髪を傷めるおそれのないヘアーアイロンを提供する。【解決手段】本考案は、毛髪を挟持し加熱して該毛髪に癖を付けるためのヘアーアイロン１０であって、基端１１を支点として互いに近接離間方向に回動可能な一対のアーム１２，１３と、該各アーム１２，１３の先端部分にそれぞれ互いに対向して設けられる加熱部１４，１５と、を備え、該加熱部１４，１５は、内部に設けられる赤外線ランプと、前記毛髪を挟持する側に設けられるガラス板１９，２０と、を備えていることを特徴とする。【選択図】図１
0003177337.tif 000002
【実用新案登録請求の範囲】
【請求項１】
毛髪を挟持し加熱して該毛髪に癖を付けるためのヘアーアイロンであって、
基端を支点として互いに近接離間方向に回動可能な一対のアームと、
該各アームの先端部分にそれぞれ互いに対向して設けられる加熱部と、
を備え、該加熱部は、内部に設けられる赤外線ランプと、前記毛髪を挟持する側に設けられるガラス板と、を備えていることを特徴とするヘアーアイロン。
【考案の詳細な説明】
【技術分野】
【０００１】
本考案は、毛髪を挟持し加熱して該毛髪に癖を付けるためのヘアーアイロンに関するものである。
【背景技術】
【０００２】
従来、毛髪にウェーブやカールを付けたり、毛髪をストレートにしたりする等、毛髪に癖を付けるためにヘアーアイロンが使用されている。
【０００３】
従来のヘアーアイロンとしては、例えば、特許文献１に記載されているように、熱板ブロックと押さえ板ブロックとが一端において開閉自在に連結されて成り、熱板ブロックの押さえ板ブロックとの対向面に熱板が配設されると共に熱板ブロックの内部に熱板を加熱する加熱手段が内蔵され、押さえ板ブロックの熱板ブロックの対向面に押さえ板が配設され、熱板ブロック内に、熱板の加熱手段としてヒーターブロックが設けられたもので知られている。
【先行技術文献】
【特許文献】
【０００４】
【特許文献１】特開２０００−１５７３２２号公報
【考案の概要】
【考案が解決しようとする課題】
【０００５】
しかしながら、上記した従来のヘアーアイロンでは、ヒーターブロックが電気ヒータで、熱板ブロックや押さえ板ブロックが金属製又はセラミック製であることが多いため、毛髪を熱板ブロックと押さえ板ブロックとで挟持しヒーターブロックで加熱する際、縮れ毛や切れ毛等が生じて毛髪を傷めるおそれがあるといった問題があった。
【０００６】
本考案は、上記した課題を解決すべくなされたものであり、縮れ毛や切れ毛等の発生を防止し、毛髪を傷めるおそれのないヘアーアイロンを提供することを目的とするものである。
【課題を解決するための手段】
【０００７】
上記した目的を達成するため、本考案は、毛髪を挟持し加熱して該毛髪に癖を付けるためのヘアーアイロンであって、基端を支点として互いに近接離間方向に回動可能な一対のアームと、該各アームの先端部分にそれぞれ互いに対向して設けられる加熱部と、
を備え、該加熱部は、内部に設けられる赤外線ランプと、前記毛髪を挟持する側に設けられるガラス板と、を備えていることを特徴とする。
【考案の効果】
【０００８】
本考案によれば、縮れ毛や切れ毛等の発生を防止し、毛髪を傷めるおそれがない等、種々の効果を得ることができる。
【図面の簡単な説明】
【０００９】
【図１】本考案の実施の形態に係るヘアーアイロンを示す斜視図である。
【考案を実施するための形態】
【００１０】
以下、図面を参照しつつ、本考案の実施の形態について説明する。
【００１１】
図１は本考案の実施の形態に係るヘアーアイロンを示す斜視図であり、このヘアーアイロン１０は、基端１１を支点として互いに近接離間方向に回動可能なように連結される一対のアーム１２，１３と、各アーム１２，１３の先端内側部分にそれぞれ互いに対向して設けられる加熱部１４，１５とを備えている。
【００１２】
一対のアーム１２，１３は、耐熱性及び不燃又は難燃性プラスチックの内部に断熱又は遮熱性素材が充填されて形成され、基端１１側に設けられる板バネ（図示省略）等の弾性部材によって互いに離間方向に付勢され、先端の離間距離が所定長以上確保できるようになっている。また、一対のアーム１２，１３の基端１１側には把持部１６，１７が形成されており、いずれか一方のアーム（図示では下側のアーム）１３の把持部１７の基端部に電源コード１８が接続されている。
【００１３】
加熱部１４，１５は、内部に設けられる赤外線ランプ（図示省略）と、互いに対向する面側に設けられる耐熱ガラス板１９，２０と、を備えて構成されている。
【００１４】
いずれか一方のアーム（図示では上側のアーム）１２の把持部１６には、側面に加熱部１４，１５への通電を制御するための複数のスイッチ２１ａ，２１ｂ，２１ｃが設けられており、これらのスイッチ２１ａ，２１ｂ，２１ｃにより加熱部１４，１５のオン・オフや加熱温度を調節したりすることができるようになっている。
【００１５】
また、一方のアーム１２の中央部の外面（図示では上面）には、ＬＣＤディスプレイ２２が設けられ、ＬＣＤディスプレイ２２にはスイッチ２１ａ，２１ｂ，２１ｃの押圧操作に従って加熱部１４，１５の設定温度や表面温度及び電池残量等が表示されるようになっている。
【００１６】
このような構成を備えたヘアーアイロン１０において、毛髪を挟持して該毛髪にカールやウェーブ等の癖を付ける際、加熱部１４，１５の赤外線ランプから照射される赤外線が毛髪の内部に浸透すると共に、該赤外線ランプによって加熱された耐熱ガラス板１９，２０が毛髪の表面を加熱する。したがって、加熱部１４，１５によって毛髪全体が適度に加熱され、使用者の所望なように毛髪に癖を付けることができる。また、毛髪に接触する部分は耐熱ガラス板１９，２０により構成されているため、使用時における縮れ毛や切れ毛等の発生を防止し、毛髪を傷めることがない。
【００１７】
なお、アーム１２，１３の外面に半円筒形状の癖付け部材（図示省略）を着脱可能としてもよく、この癖付け部材は、例えば、曲率半径の異なる癖付け部材を複数用意しておくこともできる。このように毛髪にカールやウェーブ等の癖を付ける際にユーザの好みに応じて曲率半径の異なる癖付け部材を選択可能とすることによって、１台のヘアーアイロン１０で種々のヘアースタイルを容易に作り上げることができるようになる。
【符号の説明】
【００１８】
１０          ヘアーアイロン
１１          基端
１２，１３    アーム
１４，１５    加熱部
１９，２０    耐熱ガラス板
【図１】
0003177337.tif 000003
(57)【要約】【課題】本考案は、電力、動力、及びその他のエネルギーを必要とせず、経皮神経刺激マッサージと、刮沙処理を両方行うことができる多機能マッサージ器を提供する。【解決手段】本体と、マッサージ刺激ローラーとからなる。前記本体は、握ることが可能な形状であり、本体の一端は、接合孔を備える支持台座を形成し、支持台座には、マッサージ刺激ローラーが枢設され、それにより、マッサージ刺激ローラーを自由に転がすことができる。本体の他端は、大きな面積の透孔を備えるとともに、孤状の刮沙部を形成する。マッサージ刺激ローラーには、複数の錐状柱を環状に配列してなるマッサージ部が形成される。【選択図】図１
0003177333.tif 000002
【実用新案登録請求の範囲】
【請求項１】
本体と、マッサージ刺激ローラーとからなる多機能マッサージ器であって、
前記本体は、握ることが可能な形状であり、前記本体の一端は、支持台座を形成し、支持台座の両側には、いずれも接合孔が設けられ、前記本体の他端は、大きな面積の透孔を備えるとともに、孤状の刮沙部を形成し、前記マッサージ刺激ローラーは、前記支持台座の接合孔に枢設されて、自由に転がすことができ、前記マッサージ刺激ローラー上には、複数の錐状柱を環状に配列してなるマッサージ部が形成され、該環状に配列された複数の錐状柱は、それぞれが並べて設けられることを特徴とする、多機能マッサージ器。
【請求項２】
前記マッサージ刺激ローラー上に相互に隣接させて配列された錐状柱２２のとがった部分は、相互にずらして設けられることを特徴とする、請求項１に記載の多機能マッサージ器。
【考案の詳細な説明】
【技術分野】
【０００１】
本考案は手持ちローラー式マッサージ器の改良技術に関し、特に経皮神経刺激マッサージと、刮沙処理を両方行うことができる多機能マッサージ器に関する。
【背景技術】
【０００２】
市場には、いく種類もの手持ちローラー式マッサージ器が出回っている。しかしながら、それらはいずれも単一の機能しかもたず、しかも、ローラー構造の設計は理想的とはいえないため、達成できるマッサージ効果も限られている。従って、この種のマッサージ器は改善の余地がある。
【考案の概要】
【考案が解決しようとする課題】
【０００３】
そこで、本考案は、従来の手持ちローラー式マッサージ器のマッサージ効果が十分でないという欠点を解決するため、刮沙機能を結合させることにより、最も優れたマッサージ効果を備えさせた多機能マッサージ器を提供することを目的とする。
【課題を解決するための手段】
【０００４】
上述の効果をもつ本考案は、主に、本体と、マッサージ刺激ローラーとからなる。前記本体は、握ることが可能な形状であり、本体の一端は、接合孔を備える支持台座を形成し、支持台座には、マッサージ刺激ローラーが枢設され、それにより、マッサージ刺激ローラーを自由に転がすことができる。本体の他端は、大きな面積の透孔を備えるとともに、孤状の刮沙部を形成する。マッサージ刺激ローラーには、複数の錐状柱を環状に排列してなるマッサージ部が形成される。
【考案の効果】
【０００５】
本考案の多機能マッサージ器は、『経皮神経刺激』、及び、刮沙機能を備えたマッサージ器であり、「人体解剖学」の具体的臨床によりわかったこととして、各種神経の末梢に適切な刺激を与え、人体の自然な分泌物質「アセチルコリン」を放出させることができる。この「アセチルコリン」は、各筋肉組織を瞬間的にリラックスさせ、疲労や緊張、こりや痛みのある筋肉の腱等を、ゆるめる効果がある。そして、長い期間使用した場合、血液循環の促進に役立ち、血液の新陳代謝を高める効果がある。なお、本考案は、携帯に便利である、操作が簡単である、無痛で副作用がない、老若男女問わず使用できるという効果もある。
【図面の簡単な説明】
【０００６】
【図１】本考案の構造を示した分解図である。
【図２】本考案を組み立てた後の外観を示した斜視図である。
【図３】本考案をひっくり返した状態を示した斜視図である。
【考案を実施するための形態】
【０００７】
図１から図３に示すように、本考案による多機能マッサージ器は、主に、本体１０と、マッサージ刺激ローラー２０とからなる。本体１０は、握ることが可能な形状であり、本体１０の一端は支持台座１１を形成する。支持台座１１の両側には、いずれも、接合孔１１１が設けられ、本体１０の他端は、孤状の刮沙部１２を形成する。刮沙部１２上には、大きな面積の透孔１２１が設けられ、汚れを掃除して取り除くのに便利である。マッサージ刺激ローラー２０は、支持台座１１の接合孔１１１に枢設されて、自由に転がすことができる。マッサージ刺激ローラー２０上には、複数の錐状柱２２を環状に排列してなるマッサージ部２１が形成され、環状に配列された複数の錐状柱２２は、それぞれが並べて設けられ、相互に隣接する錐状柱２２のとがった部分は、相互にずらして設けられる。以上の構造により、マッサージ刺激ローラー２０を用いて、経皮神経刺激のマッサージを行うことができ、また、刮沙部１２を用いて、刮沙をおこなうことができる。なお、本考案は、携帯に便利である、操作が簡単である、無痛で副作用がない、老若男女問わず使用できるという効果がある。
【符号の説明】
【０００８】
１０    本体
１１    支持台座    
１２    刮沙部
２０    マッサージ刺激ローラー    
２１    マッサージ部    
２２    錐状柱
１１１  接合孔    
１２１  透孔
【図１】
0003177333.tif 000003
【図２】
0003177333.tif 000004
【図３】
0003177333.tif 000005
(57)【要約】      （修正有）【課題】切れ目が鮮明で、粘着シートの剥離更新が容易なロール式粘着テープクリーナーを提供する。【解決手段】ロール式粘着テープクリーナーの粘着面に、それぞれの切込み線で区切られる粘着シート毎に、２色からなる彩色を交互に斜め帯状に施すことによって、粘着シートをロール状に巻き取って、剥離開始部の切れ目と切込み線が接合されたとき、それぞれ異なる色で接合面が形成される。【選択図】図１
0003177366.tif 000002
【実用新案登録請求の範囲】
【請求項１】
粘着シートの粘着面に、２色からなる彩色を交互に斜め帯状に施し、粘着シートをロール状に巻き取って、剥離開始部の切れ目と切込み線が接合されたとき、それぞれ異なる色で接合面が形成されることを特徴とするロール式粘着テープクリーナー。
【考案の詳細な説明】
【技術分野】
【０００１】  本考案は、粘着シートの粘着面に２色からなる彩色を交互に斜め帯状に施したロール式粘着テープクリーナーに関するものである。
【背景技術】
【０００２】  ロール式粘着テープクリーナーの使用後、ほこり等が吸着した粘着シートを剥離更新する際、吸着したほこり等によって剥離開始部の切れ目が不鮮明となるため、剥離に手間取っていた。
【考案の開示】
【考案が解決しとする課題】
【０００３】  従来品は、使用済みの粘着シートの剥離更新を容易にするため、切込み線や切れ目の形状に改良を加えたものや、剥離部分を示す目印を付す等、さまざまな工夫を凝らしている。しかしながら、粘着シートに使用している用紙が白色の単色であるため、粘着シートにごみ等が付着すると、剥離開始部の切れ目が不鮮明となって、剥離更新がし難いうえ、付着物によって手が不衛生になる等、いづれも欠点があった。したがって粘着シートの粘着面に２色からなる彩色を交互に斜め帯状に施し、剥離開始部の切れ目を鮮明にすることによって剥離更新が容易となり、清掃の作業効率を向上させ、前述の欠点を解決しようとするものである。
【課題を解決するための手段】
【０００４】  本考案は、ロール式粘着テープクリーナーの粘着シートの粘着面に、２色からなる彩色を交互に斜め帯状に施すことによって、粘着シートをロール状に巻き取って、剥離開始部の切れ目と切込み線が接合されたとき、それぞれ異なる色で接合面が形成されることから、剥離部の切れ目が鮮明となるため、ごみ等が付着した粘着シートの剥離更新が容易となり問題点を解決している。
【考案の効果】
【０００５】  上述のように、本考案のロール式粘着テープクリーナーは、ごみ等が付着することによって不鮮明となった剥離開始部の切れ目を鮮明にするこができ作業の効率を上げ、付着物により手が汚れにくくなる等、衛生面でも改善することができた。
【考案を実施するための最良の形態】
【０００６】  本考案は、ロール式粘着テープクリーナーの粘着シートの粘着面に２色からなる彩色を交互に斜め帯状に施すが、剥離開始部の切れ目をより鮮明に識別できるよう彩色には反対色を用いる。彩色の仕様は、それぞれの切込み線で区切られる粘着シート毎に、粘着シートの一方の端から、粘着シートの幅の中央部に向かって斜線を引くことによって、粘着シート面には３ブロックの図形が形成される。その図形に反対色でそれぞれ交互に彩色が施された粘着シートは、ロール状に巻き取ったとき、剥離開始部の切れ目と切込み線の接合部分が色違いとなって接合されるため、より鮮明となって、ごみ等が付着した粘着シートの剥離更新が容易となり問題点を解決している。
【実施例】
【０００７】  以下、添付図面に従って一実施例を説明する。図１のＡはロール式粘着テープクリーナーの剥離開始部の切れ目、Ｂは剥離するための切込み線で、ｂ及びｅは粘着シートの幅の中央部を表し、Ｃは一方の彩色部、ＤはＣと異なる色の彩色部を表す。【０００８】  粘着シートの粘着面の異なる２色の彩色は、それぞれの切込み線で区切られた粘着シート毎に、粘着シートの一方の端ａより中央部ｅを通過する延長線及びｃからｆに到達する線によって分割されたことによって形成される図形１，２，３に、それぞれ交互に異なる彩色を繰り返すことによって、粘着シート全体に斜めの帯状の模様が形成される。【０００９】  彩色が施された粘着シートをロール状に巻き取った斜視図が図２であるが、ロール状に巻き取ることによって剥離開始部の切れ目ａ、ｂ、ｃと切込み線ｄ、ｅ、ｆとの接合部分が色違いとなって接合され、剥離開始部の切れ目がより鮮明となるため粘着シートの剥離更新が容易となる。
【図面の簡単な説明】
【００１０】
【図１】本考案のロール式粘着テープクリーナーのロール部の斜視図である。
【図２】ロール式粘着テープクリーナーの斜視図である。
【符号の説明】
【００１１】  Ａ            粘着シートの剥離開始部の切れ目
Ｂ            粘着シートの切込み線
Ｃ            一方の彩色部
Ｄ            Ｃと異なる色の他方の彩色部
ａ、ｂ、ｄ    斜線の起点
ｅ            斜線の通過点
ｆ            斜線の終点
【図１】
0003177366.tif 000003
【図２】
0003177366.tif 000004
(57)【要約】      （修正有）【課題】介護が楽になる車椅子を提供する。【解決手段】車椅子の座席に便器のように穴を開け、座席の下にスライド式の引き抜け板を設け、トイレを設置する。【選択図】図１
0003177362.tif 000002
【実用新案登録請求の範囲】
【請求項１】
車椅子にトイレを設けたトイレ付車椅子です
【考案の詳細な説明】
【技術分野】
【０００１】本考案は車椅子にトイレを設けた介護車椅子である。
【背景技術】
【０００２】トイレや睡眠の時など車椅子からそれぞれの場所へ動かすのが重労働で非常に大変。その為老人ホームなどから一時帰宅させようか、悩む  又、仕事と介護の両立がむずかしいなど
【考案の概要】
【考案が解決しようとする課題】
【０００３】車椅子のカタログをＨ２４年４月拝見させて頂き簡易ストレッチャー・自動リクライニングはありますが、トイレを設けている車椅子のカタログは見あたりません。
車椅子を利用してる方でおむつが嫌いでどうしてもトイレで用を足したい。でもトイレまで動かすのが大変。
又、仕事と介護の両立は心身の疲労でむずかしい。
災害時の避難所での人手不足、外出の時はエレベーターやトイレの場所確認など色々大変。
【課題を解決するための手段】
【０００４】本考案は図１のように座席に便器のように穴を開け座席の下にスライド式の引き板を設け、用を足す時は板を前へ引き抜き、簡易トイレを置き用を足す。
図２のようにダンボール箱に穴を開けひもなどで結び落ちないようにし、又、尿などが飛び散らないようにし汚れた時は取り変え段差の心配な時は折りたたむ。
ダンボール箱を使う事により、他人の目かくしにもよい。
※尻に穴の開いた下着（お産の時使う下着がよい）やパンツ巻きスカート着用は動かす必要がない。
○１人で介護の方は時間にあった簡易トイレを使うと時間を気にせず有効に使える。
【考案の効果】
【０００５】上述の様に図１・図２を使う事によって  ○１人で介護が楽々出来る
○避難所でトイレ・ベッドに困らない
○携帯ウォシュレットを用を足した後使うと清潔でかぶれている方にもよい
○老人ホームなどから人手不足・重労働など悩む事なく一時帰宅させられる。
○トイレも移動せず２４時間車椅子で介護
※ひざ掛けを使うと場所選ばずどこでもトイレ
【図面の簡単な説明】
【０００６】
【図１】本考案の座席の下にスライド式の板を設け座席に便器のように穴を開けた図であります。
【図２】本考案の一部切欠断面裏簡易トイレの使い方図面
【図３】簡易ストレッチャーを使った時
【符号の説明】
【０００７】▲１▼  背当て（汚れても拭くだけできれいになる皮）
▲２▼  便器のように開けた穴
▲３▼  ソフトタイヤ
▲４▼  簡易トイレ（ダンボール箱を使用してもよい、その中に一瞬で固る物とビニール袋入れる
▲５▼  便器になるように座席の下がスライド式になっているので板を前へ引き抜く
▲６▼  座席（尻が痛くないようにクッションが必要）
▲７▼  ベッドになるように▲５▼から引き抜いた板
▲８▼  枠がステンレスやスチール
【図１】
0003177362.tif 000003
【図２】
0003177362.tif 000004
【図３】
0003177362.tif 000005
(57)【要約】      （修正有）【課題】新幹線の廃棄レールを再利用して作るレールアートキーホルダーを提供する。【解決手段】新幹線の廃棄レールを３．３ｍｍ巾にカットし、カットした頭部部分から３．３ｍｍ巾にカット研磨した型と同一型をくりぬき、くりぬかれて型のあいたレールの下部に電車の側面絵６をレーザー自動彫刻機で彫り置物となる。くりぬいた同一型の頭部上部に穴４を開け、頭部にステンレス製輪のついたナット５をはめ込み研磨したものの上部に、置物と同一の正面絵７と下部に置物と同一の電車の側面絵６をレーザー自動彫刻機で彫りキーホルダー２０とする。【選択図】図３
0003177365.tif 000002
【実用新案登録請求の範囲】
【請求項１】
新幹線の廃棄レールを３．３ｍｍ巾にカットし、カットした頭部部分から、３．３ｍｍ巾にカットした型と同一型をくりぬき、くりぬかれて型のあいた３．３ｍｍ巾にカットされた廃棄レールを研磨し、研磨されたレールの下部に電車の側面絵を彫ることを特徴としたレールアート置物。
【請求項２】
請求項１記載のくりぬいた同一型の頭部上部に穴をあけ、頭部にステンレス製輪をつけたナットをはめ込んで研磨し、ナットをはめ込んで研磨した型の頭部部分に請求項１と同一の電車正面絵、下部に電車側面絵を彫ることを特徴としたレールアートキーホルダー。
【考案の詳細な説明】
【背景技術】
【０００１】  鉄道マニアの間では新幹線のレールにはとても希少価値があります。しかしながら、再利用製品となって世に出ることは殆ど無く手に入りません。そこで１枚の廃棄レールで、誰にでも手軽に持てる置物とキーホルダーの２種類の形に変えることができないものかと、新幹線のレールを再利用して作ることを考案いたしました。
【考案を実施するための最良の形態】
【０００２】  新幹線の廃棄レールを３．３ｍｍ巾にカット１し、カットした頭部部分から３．３ｍｍ巾にカット研磨した型２と同一型３をくりぬき、くりぬかれて型のあいたレール２の下部に電車の側面絵６をレーザー自動彫刻機で彫り置物となる。くりぬいた同一型３の頭部上部に穴４を開け、頭部にステンレス製輪のついたナット５をはめ込み研磨したものの上部に、置物と同一の正面絵７と下部に置物と同一の電車の側面絵６をレーザー自動彫刻機で彫りキーホルダー２０とする。
【図面の簡単な説明】
【０００３】
【図１】  ３．３ｍｍ巾カットの新幹線廃棄レール図。
【図２】  くりぬかれて型のあいた新幹線廃棄レール図。
【図３】  くりぬかれた同型のキーホルダー図。
【符号の説明】
【０００４】レールアートのキーホルダー                                      ２０
３．３ｍｍ巾にカットされたレール                                  １
３．３ｍｍ巾にカットされ同型がくりぬかれて型のあいたレール置物    ２
３．３ｍｍ巾のカットレールよりくりぬいた同型                      ３
くりぬいた同型上部の穴                                            ４
頭部にステンレス製輪のついたナット                                ５
同一電車の側面絵                                                  ６
同一電車の正面絵                                                  ７
【図１】
0003177365.tif 000003
【図２】
0003177365.tif 000004
【図３】
0003177365.tif 000005
(57)【要約】      （修正有）【課題】災害発生等の非常時に使用する多品種・多様な形状の器具や備品に対応でき、一つ一つの物品に取扱要領を表示し、一つの段ボール箱に混載できる梱包体を提供する。【解決手段】複数の非常用物品一式を収納する段ボール箱本体１の外面に、緊急時に非常用物品であることを表記３し、内容が一目で確認できるようすべての収容物を表示２する。個々の物品は、それぞれに取扱要領が表示された包装容器に収納する。燃料は、炭を使用し、着火用具も同梱する。さらに、段ボール箱自体も着火材料として利用する。【選択図】図１
0003177364.tif 000002
【実用新案登録請求の範囲】
【請求項１】
複数の形状の異なる物品を立方体の収納容器の中に収納する梱包体において、前記収納容器内のすべての収納物品の名称と外観を掲載したラベルを外面に貼付し、容易にすべての収納物品を外部から視認できることを特徴とした梱包体。
【請求項２】
災害発生時等の非常時において必要とする火力を確保するため、予め備蓄しておく物品をキット化し、物品を一つずつ透明フィルムなど内部が視認できる材料で包装し、前記包装の表面に個々の収納物品に対応した使用方法等の説明表示が施された組み込み物品一式を収納した請求項１に記載した梱包体。
【考案の詳細な説明】
【技術分野】
【０００１】
本考案は、災害発生時等の非常時において必要とする火力を確保するため、予め備蓄しておく非常用物品キットおよび梱包体に関するものである。
【背景技術】
【０００２】
非常用備品・機材類は、一般的に災害発生時等の緊急時を想定して所定の場所、保管庫等に備蓄され、日常的に使用されることは稀である。
【０００３】
また、災害時は周囲が混乱し、瓦礫などが散乱していることが想定されるので、緊急に火力を必要とする場合に、燃料、機材、器具一式を迅速に確保することが甚だ困難であり、混乱が想定される。
【０００４】
さらに、機材、器具の使用方法について周知されていないとさらに混乱が生じる恐れがある。
【考案の概要】
【考案が解決しようとする課題】
【０００５】
本考案は、このような従来の事態に鑑みなされたもので、緊急時、迅速に火力を得るために必要とする、必要最低限の物品をキットとして１個の段ボール箱等の梱包体に収納し、密封保管し、紛失を防止することを目的とする。
【０００６】
非常時用として保管される物品類については、日常使用されることが稀であるため使用方法が周知されていないことが一般的であり、災害発生時等の緊急時に迅速に火力を得るための物品個々の使用方法を確実に伝達することが必須となる。
【課題を解決するための手段】
【０００７】
この目的を達成するための具体的手段として、非常時に火力を確保するための七輪、燃料用の木炭、着火バーナー、木質ペレット、メッシュ煙突、着火剤、さらに焼き網、包丁、スコップ、ノコギリ、トングを具備することにより、火力の調整、後始末にも配慮し熱源セットとしてキット化した。
【０００８】
キットのすべての構成物を各別に収納できる１個の段ボール箱等の梱包体であり、しかもベランダの軒下など降雨における水滴を受ける場所にも保管できるようにした緊急物品キットと収納用梱包体を提供する。
【０００９】
また、非常時の混乱状態においても、火力を確保するための機材のキットであることが容易に視認できるラベルで、内容物を一目で識別可能な表示をした梱包体を提供する。
【００１０】
さらに、迅速に火力を確保するための説明を、内容物個別にそれぞれの使用方法を容易に視認できるラベルを張り付けたことを特徴とする。
【考案の効果】
【００１１】
梱包体本体の外面に、非常時に収納物が外部から視認できるラベル類の貼付け、一目で内容物が火力を確保するための物品のキットであることが認識できる。
【００１２】
さらに、内蔵する非常用物品でとくに使用方法など説明を必要とする物品等は個別に使用方法を表示したラベルを添付し、容易に用途、使用方法を認識できる。
【図面の簡単な説明】
【００１３】
【図１】収納物が外部から視認できるラベル類の貼付け状態を示した梱包体本体の外観
【図２】非常用物品キットを収納する梱包体本体
【図３】内蔵する非常用物品を示すラベル
【図４】非常用物品の具体的な使用方法を示すラベル
【図５】非常用器具キットの保管要領を示すラベル
【図６】梱包用段ボール箱も燃料になることを示すラベル
【図７】木質ペレットの説明のラベル
【図８】包丁の使い方のラベル
【図９】ノコギリの使い方のラベル
【図１０】着火材の使い方のラベル
【図１１】メッシュ煙突の使い方のラベル
【図１２】内蔵する非常用物品の実施例
【考案を実施するための形態】
【００１４】
災害発生時等の非常時において必要とする火力を確保するため、予め備蓄しておく非常用物品キットおよび梱包体実現した。
【実施例１】
【００１５】
図１は、本考案の１実施例の外観図であって、１は防滴処理を施した段ボール箱など梱包体本体であり、図２と同様である。２〜５は、その表面に張り付けられた内容物、使用方法などを表示したラベルである。
【００１６】
図３〜図６は、梱包体本体１の表面に張り付けられるラベル２〜５の実施例である。
【００１７】
図７〜図１１は、梱包体本体１に収納される物品において、各別に使用方法の説明が必要な場合の物品に添付される説明ラベル２〜１０の事例である。
【００１８】
図１２は、梱包体本体１に収納される物品類を図示した１実施例である。収納する内容物は、本図に示される物品に限られることはない。
【産業上の利用可能性】
【００１９】
本考案は、災害発生等の非常時に使用する多品種・多様な形状の器具や備品に対応でき、一つの段ボール箱等に混載できる梱包体に有用である。
【符号の説明】
【００２０】
１…非常用物品キットを収納する梱包体本体
２…内蔵する非常用物品・備品を示すラベル
３…非常用物品・備品の具体的な使用方法を示すラベル
４…非常用物品キットの保管要領を示すラベル
５…梱包用段ボール箱も燃料になることを示すラベル
６…木質ペレットの説明のラベル
７…包丁の使い方のラベル
８…ノコギリの使い方のラベル
９…着火材の使い方のラベル
１０…メッシュ煙突の使い方のラベル
１１…燃焼器具である「七輪」
１２…燃料（木質ペレットなど）収納用段ボール箱
１３…燃料（木炭など）収納用段ボール箱
１４…部品収納用段ボール箱
１５…燃料（木質ペレットなど）燃焼用メッシュ煙突
１６…燃料（木質ペレット、炭化ペレット、木炭など）
１７…燃料（木炭）
１８…着火バーナー
１９…着火材
２０…ノコギリ
２１…包丁
２２…スコップ
２３…トング
２４…焼き網
【図１】
0003177364.tif 000003
【図２】
0003177364.tif 000004
【図３】
0003177364.tif 000005
【図４】
0003177364.tif 000006
【図５】
0003177364.tif 000007
【図６】
0003177364.tif 000008
【図７】
0003177364.tif 000009
【図８】
0003177364.tif 000010
【図９】
0003177364.tif 000011
【図１０】
0003177364.tif 000012
【図１１】
0003177364.tif 000013
【図１２】
0003177364.tif 000014
(57)【要約】      （修正有）【課題】より狭い歯間に入り、かつ歯間はもとより歯表面や歯茎のブラッシングにも使え、かつ歯や歯茎に無理な力が加わることがない多機能な楊枝を提供する。【解決手段】一般的な楊枝の太さ、長さのＡＢＳ樹脂製の棒状の物の両端の片方に、ナイロン製の毛を先端が細くなるように束ねたブラシ０１を付けた。楊枝の太さでは届かなかった歯間深くにも比較的に入りやすくした。もう一方の先端にもナイロン製の毛を先端が平らな形状にるように束ねたブラシ０２をつけ、歯表面や歯茎のブラッシングにも使えるようにした。またＡＢＳ樹脂の部分を折り曲げることでブラシの向きの角度調整を可能とし奥歯の清掃も容易にした。楊枝形状にすることで楊枝と同様に使うことができ人目を気にすることなく使用することができる。【選択図】図１
0003177377.tif 000002
【実用新案登録請求の範囲】
【請求項１】
一般的な楊枝の太さ、長さと同様のＡＢＳ樹脂でできた棒状のものの両端のそれぞれに、先端を細く整えたナイロン製の毛でできたブラシと、先端を平に整えたナイロン製の毛を束ねたブラシを付けた点、及び、ＡＢＳ樹脂でできた棒状の部分を折り曲げることで、ブラシ角度の調整を可能としたことを特徴とする、歯間及び口腔の清掃用品。
【考案の詳細な説明】
【技術分野】
【０００１】本考案は楊枝の両端をブラシ形状にした歯間及び口腔清掃用品に関するものである。
【背景技術】
【０００２】食事後などの簡易的な口腔清掃は楊枝が使われている。また、歯ブラシや歯間ブラシ、デンタルフロスなどの口腔清掃用品は洗面所などで使用されている。
【考案の概要】
【考案が解決しようとする課題】
【０００３】従来の楊枝では歯間に入りにくく、歯間の奥の汚れを多く残したままになる。
また、慣習的に従来の歯ブラシ、デンタルフロス、歯間ブラシは洗面所などの人目のないところで使用するが、食事後その場で使いにくい。
さらに、従来の楊枝や歯間ブラシ、デンタルフロスなどを習慣的に使用すると歯間が開くなどの弊害が起きる。
【課題を解決するための手段】
【０００４】一般的な楊枝の太さ、長さのＡＢＳ樹脂でできた棒状のものの両端の片方に、ナイロン製の毛を束ねたブラシを先端が細くなるように付けた。楊枝の太さでは届かなかった歯間深くにも比較的に入りやすくした。また、もう一方の先端にもナイロン製の毛を束ねたブラシを先端が平らになるように付けた。この形状にすることにより歯表面や歯茎のブラッシングにも使えるようにした。さらに、ＡＢＳ樹脂の部分を折り曲げることで、ブラシの向きの角度調整を可能とし、奥歯の清掃も容易にした。
楊枝形状にすることで、楊枝の要領で使うことができるので、人目を気にすることなく使用することができる。
【考案の効果】
【０００５】従来の楊枝に比較してより狭い歯間に入ることが可能になった。またブラシは力を加えると曲がるので歯間幅にあった本数分の毛先のみが入り、歯や歯茎に無理な力が加わることを防ぐ。さらに楊枝形状であるため、楊枝と同様に使用することができ、食事後のその席で人の目を気にすることなく使用が可能となる。
【図面の簡単な説明】
【０００６】
【図１】ブラシを用いた多機能楊枝の全体図
【符号の説明】
【０００７】０１．ナイロン製の毛を先端が細くなるように束ねたブラシ
０２．ナイロン製の毛を先端が平らになるように束ねたブラシ
０３．滑りにくく安定したグリップ
０４．折り曲げて角度調整が可能
【図１】
0003177377.tif 000003
(57)【要約】      （修正有）【課題】エアコンの吹き出しより出る温風により室内を加湿し、さらにインテリアとして見栄えの良い簡単花湿機を提供する。【解決手段】壁掛け型エアコンの風向板と本体との奥にある隙間に突っ張り棒と吊り下げ金物、吊り下げ籠の内部に水入れを設け水入れ内の水をエアコンの温風を吹き付ける事により室内の加湿する事が出来る。【選択図】図１
0003177374.tif 000002
【実用新案登録請求の範囲】
【請求項１】
エヤコンの吹き出し奥部の風向板と本体との隙間に突っ張り棒、フック金物を使い吊り下げた網かご内の水入れにエヤコンの温風を吹き掛ける事により水入れの中の水を蒸発させ、室内の加湿役立て造花等を飾ることもでき、加湿装置の為のランニングコストも水道代だけと省エネな、加湿装置。
【考案の詳細な説明】
【技術分野】
【０００１】  本実案は、壁掛け型エアコンの風向板と本体との奥にある隙間に突っ張り棒と吊り下げ金物、吊り下げ籠の内部に水入れを設け水入れ内の水をエアコンの温風を吹き付ける事により室内の加湿すし、造花等を水いる内に飾ることでインテリやとしてもよく、また造花等が水を吸い上げ温風に水を近ずけ尚且つ温風を受ける面積が増えるので、加湿効率が上がる。
【背景技術】
【０００２】  本実案は、壁掛け型エアコンの風向板と本体との奥にある隙間に突っ張り棒と吊り下げ金物、吊り下げ籠の内部に水入れを設け水入れ内の水をエアコンの温風を吹き付ける事により室内の加湿する。
【図面の簡単な説明】
【０００３】
【図１】正面図  （カラー写真）
【図２】斜面図  （カラー写真）
【図３】拡大図  （カラー写真）
【図４】側面面図（カラー写真）
【図１】
0003177374.tif 000003
【図２】
0003177374.tif 000004
【図３】
0003177374.tif 000005
【図４】
0003177374.tif 000006